(57)【要約】【課題】  デザイン性のある布地をパネルに張り、壁に立てたり、掛けたりしてインテリアに用いるファブリックパネルにおいて、従来、パネルに布地を張る際、裏面の枠に釘やガンタッカー等で張っていたが、釘やガンタッカーで張るには金づちや、専用の工具が必要であり、また、剥がすときもドライバーや釘抜き等を必要とし、非常に面倒で、簡単に張り替えができなかった。そのような欠点を解決するファブリックパネルを提供する。【解決手段】  パネルの裏面の枠部分に溝を形成し、その溝に適合する決め込み具で布地を押し込んで決め込むことによって張ることを特徴とする。  【選択図】  図１
2008194194.tif 000002
【特許請求の範囲】
【請求項１】
布地等をパネルに張り、壁等に掛けてインテリアとして用いるファブリックパネルにおいて、パネル裏面の枠に周回する溝を形成し、そして、該溝に適合する形状の決め込み具を形成し、該決め込み具を押し込んで布地等を張るファブリックパネル。
【請求項２】
布地等をパネルに張り、壁等に掛けてインテリアとして用いるファブリックパネルにおいて、パネル裏面の枠に、少なくとも1箇所以上の溝を形成し、そして、該溝に適合する形状の決め込み具を形成し、該決め込み具を押し込んで布地等を張るファブリックパネル。
【請求項３】
溝において、角付近を適宜広く形成する請求項1、請求項2のファブリックパネル。
【請求項４】
布地等をパネルに張り、壁等に掛けてインテリアとして用いるファブリックパネルにおいて、パネル裏面の縁からやや内側に溝を形成し、そして、該溝に適合する形状の決め込み具を形成し、該決め込み具を押し込んで布地等を張るファブリックパネル。
【請求項５】
布地等をパネルに張り、壁等に掛けてインテリアとして用いるファブリックパネルにおいて、パネル裏面の縁からやや内側に溝を形成し、該溝の角付近を適宜広く形成し、そして、該溝に適合する形状の決め込み具を形成し、該決め込み具を押し込んで布地等を張るファブリックパネル。
【発明の詳細な説明】
【技術分野】
【０００１】
本発明は、布地等をパネルに張って壁に立てかけたり、掛けたりしてインテリアとして用いるファブリックパネルに関する。
【背景技術】
【０００２】
従来のファブリックパネルは、パネルに布地を張る際、裏の枠に釘やガンタッカー等で打ち付けて張っていた。
【発明の開示】
【発明が解決しようとする課題】
【０００３】
布地を釘やガンタッカーで張るには金づちや、専用の工具が必要であり、また、剥がすときもドライバーや釘抜き等を必要とし、非常に面倒で、簡単に張り替えができなかった。
【課題を解決するための手段】
【０００４】
従来の問題点を解決するために、パネル裏面の枠に周回する溝3を形成し、その溝3の幅と長さに適合する形状、材質の、棒、紐、ゴム紐、ビニルロープ、プラスチックロープ等、または、断面略ハット形の決め込み具4を用いて布地を押し込んで張ることができるよう構成する。
枠に形成する溝は、少なくとも1箇所以上で、部分的に溝を形成することも考えられる。
また、枠がはっきり識別できない構造のパネルにおいては、パネル裏面の縁からやや内側の適宜位置に溝3を形成することが考えられる。
【発明の効果】
【０００５】
これを使用するときは、表側から布地でパネルを包み込むようにして裏側へ折り込み、布地の端の部分を溝3に被せ、適合する決め込み具4で押し込んで決め込むのである。このように構成することによって特に工具を必要としなくてもパネルに布地を張ることができるのである。
また、剥がすときも簡単で、布地の端を引っ張れば、簡単に溝から引き出せるのである。これにより、張り替えも簡単になり、ビジネス効果も向上すると考えられる。
【発明を実施するための最良の形態】
【０００６】
パネル裏面の枠2に周回する溝3を形成し、その溝3の幅と長さに適合する形状、材質の決め込み具4を用いて布地5を押し込んで張るのである。たとえば、棒、紐、ゴム紐、ビニルロープ、プラスチックロープ等、または、熱可塑性樹脂による断面略ハット形に形成された決め込み具等が考えられるが、材質、形状に関しては様々なものが考えられるため、特に指定はしない。
また、パネルに張るとき、裏側の角付近で布地5が重なり厚みができるため、その部分の溝3の幅を適宜広くすることが考えられる。これにより無理なく押し込むことができる。
【実施例１】
【０００７】
図1、図2で示す実施例1は、パネル裏面の枠2に周回する溝3を形成し、その溝3に適合する決め込み具4を用いて布地5を押し込むことによって張ることができるよう構成している。
【実施例２】
【０００８】
図10、図11で示す実施例2は、周回する溝3において、角付近の幅を適宜広げて構成している。
【実施例３】
【０００９】
図4、図5で示す実施例3は、ビニル、ゴム、プラスチック等の熱可塑性樹脂によって断面円柱形に形成された決め込み具4である。
【実施例４】
【００１０】
図6、図7で示す実施例4は、ビニル、ゴム、プラスチック等の熱可塑性樹脂によって断面略ハット形に形成された決め込み具4である。
【実施例５】
【００１１】
図8、図9で示す実施例5は、枠2の内側に溝3を形成している。これによって布地を張ったとき、パネルの裏側をすっきりと仕上げることができる。
【実施例６】
【００１２】
図12で示す実施例6は、枠2に複数の溝3を形成している。
【実施例７】
【００１３】
図13で示す実施例7は、ビニル、ゴム、プラスチック等の熱可塑性樹脂によって断面略ハット形に、さらに両サイドに滑り止めの突起を設けて形成した決め込み具4である。
【実施例８】
【００１４】
図14で示す実施例8は、ビニル、ゴム、プラスチック等の熱可塑性樹脂によって断面略ハット形に、さらに下部に滑り止めの突起を設けて形成した決め込み具4である。
【実施例９】
【００１５】
図15で示す実施例9は、ビニル、ゴム、プラスチック等の熱可塑性樹脂によって断面略ハット形に、さらに両サイドに滑り止めの突起を設け、中抜きに形成した決め込み具4である。
【実施例１０】
【００１６】
図16で示す実施例10は、ビニル、ゴム、プラスチック等の熱可塑性樹脂によって断面略ハット形に、さらに両サイドに滑り止めの突起を設け、中抜きに形成し、布の端を押さえる部分を設けた決め込み具4である。
【図面の簡単な説明】
【００１７】
【図１】本発明であるファブリックパネルの実施例1の裏面図である。
【図２】本発明であるファブリックパネルの実施例1の部分拡大図である。
【図３】本発明であるファブリックパネルの実施例1のＡ−Ａ´部分断面図である。
【図４】本発明であるファブリックパネルの実施例3の決め込み具4を示す部分拡大図である。
【図５】本発明であるファブリックパネルの実施例3の決め込み具4を使用した部分断面図である。
【図６】本発明であるファブリックパネルの実施例4の決め込み具4を示す部分拡大図である。
【図７】本発明であるファブリックパネルの実施例4の決め込み具4を使用した部分断面図である。
【図８】本発明であるファブリックパネルの実施例5の部分断面図である。
【図９】本発明であるファブリックパネルの実施例5の部分拡大図である。
【図１０】本発明であるファブリックパネルの実施例2の裏面図である。
【図１１】本発明であるファブリックパネルの実施例2の部分拡大図である。
【図１２】本発明であるファブリックパネルの実施例6の裏面図である。
【図１３】本発明であるファブリックパネルの実施例7の決め込み具4を示す部分拡大図である。
【図１４】本発明であるファブリックパネルの実施例8の決め込み具4を示す部分拡大図である。
【図１５】本発明であるファブリックパネルの実施例9の決め込み具4を示す部分拡大図である。
【図１６】本発明であるファブリックパネルの実施例10の決め込み具4を示す部分拡大図である。
【符号の説明】
【００１８】
1        パネル板   
2        枠
3        溝
4        決め込み具
5        布地
【図１】
2008194194.tif 000003
【図２】
2008194194.tif 000004
【図３】
2008194194.tif 000005
【図４】
2008194194.tif 000006
【図５】
2008194194.tif 000007
【図６】
2008194194.tif 000008
【図７】
2008194194.tif 000009
【図８】
2008194194.tif 000010
【図９】
2008194194.tif 000011
【図１０】
2008194194.tif 000012
【図１１】
2008194194.tif 000013
【図１２】
2008194194.tif 000014
【図１３】
2008194194.tif 000015
【図１４】
2008194194.tif 000016
【図１５】
2008194194.tif 000017
【図１６】
2008194194.tif 000018